(57)【要約】【課題】ガードインターバル長を超える超遅延波が存在すると、窓位置検出の精度が低下していた。【解決手段】窓位置検出回路２７は、２Ｄフィルタ回路２３によって選択抽出されたデータ群から算出した総電力和｛Ｅｍ｝に基づいてＯＦＤＭ信号に対する窓位置情報を検出する。このため窓位置検出回路２７は算出した電力総和｛Ｐｇｍ｝に基づいて窓位置検出を行うことができる。シンボル検波部１１は、その窓位置検出回路２７によって検出された窓位置情報に応じてＯＦＤＭ信号を検波する。
2009125499.tif 000002
【特許請求の範囲】
【請求項１】
複数のキャリアを送信データに基づいて直交変調することにより生成した伝送シンボルを伝送単位として特定既知の複素振幅を持つパイロット信号が前記伝送シンボル内の所定のキャリアに重畳されたＯＦＤＭ信号を受信し、連続する複数の前記伝送シンボルに含まれるキャリア群を検波して得た受信信号をキャリア周波数とシンボル時間に対応した２次元空間上の２次元データ領域内に配置する信号検波部と、
前記２次元データ領域内に配置されたパイロット信号に基づいて前記受信信号の各々に対する受信信号伝達特性を推定する伝達特性推定部と、
前記受信信号及び前記受信信号伝達特性に基づいて前記送信データを復号するデータ復号部と、を有する受信装置であって、
前記伝達特性推定部は、
前記２次元データ領域内に配置されたパイロット信号に対するパイロット信号伝達特性を算出する算出手段と、
前記パイロット信号伝達特性について２次元フーリエ変換を施して、伝送路遅延時間と伝送路変動周波数に対応した２次元空間上の２次元フーリエ変換データを生成する変換手段と、
前記２次元フーリエ変換データのうち特定領域内のデータ群を通過させるための２次元フィルタ窓を算出する供給手段と、
前記２次元フィルタ窓に基づいて確定された前記特定領域内のデータ群を選択抽出するフィルタ手段と、
前記選択抽出されたデータ群に対して２次元逆フーリエ変換を施して、キャリア周波数とシンボル時間に対応した２次元空間上の２次元逆フーリエ変換データを生成し、前記生成されたデータに基づいて前記受信信号伝達特性を生成する生成手段と、
前記選択抽出されたデータ群から算出した総電力和に基づいて前記ＯＦＤＭ信号に対する窓位置情報を検出する窓位置検出手段と
を備え、
前記信号検波部は、
前記窓位置検出手段によって検出された前記窓位置情報に応じて前記ＯＦＤＭ信号を検波する
ことを特徴とする受信装置。
【請求項２】
請求項１記載の受信装置において、
前記窓位置検出手段は、
前記選択抽出されたデータ群に基づいて総電力和を算出する総電力和算出手段と、
前記算出された総電力和を、移動平均演算係数を用いて移動平均を算出することで電力総和を演算し、前記電力総和に基づいて前記窓位置情報を算出する窓位置算出手段と
を備えることを特徴とする受信装置。
【請求項３】
請求項２記載の受信装置において、
前記窓位置検出手段は、
少なくともガードインターバル比に基づいて前記移動平均演算係数を生成し、前記窓位置算出手段に対して供する係数生成手段
を備えることを特徴とする受信装置。
【請求項４】
請求項２又は請求項３記載の受信装置において、
前記係数生成手段は、
前記移動平均演算係数として、横軸をタップ長とした場合の縦軸の係数値が台形形状となるような係数を生成し、
前記窓位置算出手段は、
前記算出された電力総和を、前記台形形状の係数を用いて１回移動平均を算出することで前記電力総和を演算する
ことを特徴とする受信装置。
【請求項５】
請求項２又は請求項３記載の受信装置において、
前記係数生成手段は、
前記移動平均演算係数として、横軸をタップ長とした場合の縦軸の係数値が矩形形状となるような係数を生成し、
前記窓位置算出手段は、
前記算出された電力総和を前記矩形形状の係数を用いて移動平均を算出した後、さらにその算出結果を前記矩形形状の係数を用いて移動平均を算出することで前記電力総和を演算する
ことを特徴とする受信装置。
【請求項６】
複数のキャリアを送信データに基づいて直交変調することにより生成した伝送シンボルを伝送単位として特定既知の複素振幅を持つパイロット信号が前記伝送シンボル内の所定のキャリアに重畳されたＯＦＤＭ信号を受信し、連続する複数の前記伝送シンボルに含まれるキャリア群を検波して得た受信信号をキャリア周波数とシンボル時間に対応した２次元空間上の２次元データ領域内に配置する信号検波ステップと、
前記２次元データ領域内に配置されたパイロット信号に基づいて前記受信信号の各々に対する受信信号伝達特性を推定する伝達特性推定ステップと、
前記受信信号及び前記受信信号伝達特性に基づいて前記送信データを復号するデータ復号ステップとを有する受信方法であって、
前記伝達特性推定ステップは、
前記２次元データ領域内に配置されたパイロット信号に対するパイロット信号伝達特性を算出する算出ステップと、
前記パイロット信号伝達特性について２次元フーリエ変換を施して、伝送路遅延時間と伝送路変動周波数に対応した２次元空間上の２次元フーリエ変換データを生成する変換ステップと、
前記２次元フーリエ変換データのうち特定領域内のデータ群を通過させるための２次元フィルタ窓を算出する供給ステップと、
前記２次元フィルタ窓に基づいて確定された前記特定領域内のデータ群を選択抽出するフィルタステップと、
前記選択抽出されたデータ群に対して２次元逆フーリエ変換を施して、キャリア周波数とシンボル時間に対応した２次元空間上の２次元逆フーリエ変換データを生成し、前記生成されたデータに基づいて前記受信信号伝達特性を生成する生成ステップと、
前記選択抽出されたデータ群から算出した総電力和（エコープロファイル）に基づいて前記ＯＦＤＭ信号に対する窓位置情報を検出する窓位置検出ステップと
を備え、
前記信号検波ステップでは、
前記窓位置検出ステップによって検出された前記窓位置情報に応じて前記ＯＦＤＭ信号を検波する
ことを特徴とする受信方法。
【発明の詳細な説明】
【技術分野】
【０００１】
本発明は、例えば、地上デジタル放送の受信装置等に関する。
【背景技術】
【０００２】
地上波デジタル放送においては、デジタルデータを変調する方式として、直交周波数分割多重方式（以下、ＯＦＤＭ方式と呼ぶ。ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）が採用されている。【０００３】
ＯＦＤＭ変調方式とは、伝送帯域内に多数の直交する副搬送波（サブキャリア）を設け、各サブキャリアの振幅及び位相にＰＳＫ（Ｐｈａｓｅ  Ｓｈｉｆｔ  Ｋｅｙｉｎｇ）やＱＡＭ（Ｑｕａｄｒａｔｕｒｅ  Ａｍｐｌｉｔｕｄｅ  Ｍｏｄｕｌａｔｉｏｎ）によりデータを割り当てて、デジタル変調する方式である。【０００４】
ＯＦＤＭ方式は、多数のサブキャリアで伝送帯域を分割するため、サブキャリア１波あたりの帯域は狭くなり変調速度は遅くなるが、トータルの伝送速度は、従来の変調方式と変わらないという特徴を有している。また、ＯＦＤＭ方式は、多数のサブキャリアが並列に伝送されるのでシンボル速度が遅くなり、シンボルの時間長に対する相対的なマルチパスの時間長を短くすることができ、ある程度マルチパスの影響を受けにくくすることができる。【０００５】
マルチパスの影響は、特定の条件下においてガードインターバルの付加によってある程度軽減することが可能となっている。例えば直接波に対して遅延波が１波存在するようなマルチパスを考えると、遅延波の直接波に対する遅延時間がガードインターバル長よりも短い場合には、受信装置は、ガードインターバルを用いて正確に窓位置を検出し、所望のＯＦＤＭシンボルからの信号のみを用いることができる（非特許文献１参照）。
【特許文献１】「わかりやすいＯＦＤＭ技術」伊丹誠著、オーム社／出版局、（第４５頁〜第５２頁）
【発明の開示】
【発明が解決しようとする課題】
【０００６】
しかしながら、高層ビルなどで反射されて生じた遅延波は、非常に受信電力が小さくなって受信装置に受信されることが多く、従来のガードインターバル相関を用いた窓位置検出方法では、非常に受信電力の小さな遅延波に対し、窓位置の検出推定精度が悪くなっていた。【０００７】
本発明が解決しようとする課題には、上記した問題が一例として挙げられる。
【課題を解決するための手段】
【０００８】
上記課題を解決するために、請求項１記載の発明は、複数のキャリアを送信データに基づいて直交変調することにより生成した伝送シンボルを伝送単位として特定既知の複素振幅を持つパイロット信号が前記伝送シンボル内の所定のキャリアに重畳されたＯＦＤＭ信号を受信し、連続する複数の前記伝送シンボルに含まれるキャリア群を検波して得た受信信号をキャリア周波数とシンボル時間に対応した２次元空間上の２次元データ領域内に配置する信号検波部と、前記２次元データ領域内に配置されたパイロット信号に基づいて前記受信信号の各々に対する受信信号伝達特性を推定する伝達特性推定部と、前記受信信号及び前記受信信号伝達特性に基づいて前記送信データを復号するデータ復号部と、を有する受信装置であって、前記伝達特性推定部は、前記２次元データ領域内に配置されたパイロット信号に対するパイロット信号伝達特性を算出する算出手段と、前記パイロット信号伝達特性について２次元フーリエ変換を施して、伝送路遅延時間と伝送路変動周波数に対応した２次元空間上の２次元フーリエ変換データを生成する変換手段と、前記２次元フーリエ変換データのうち特定領域内のデータ群を通過させるための２次元フィルタ窓を算出する供給手段と、前記２次元フィルタ窓に基づいて確定された前記特定領域内のデータ群を選択抽出するフィルタ手段と、前記選択抽出されたデータ群に対して２次元逆フーリエ変換を施して、キャリア周波数とシンボル時間に対応した２次元空間上の２次元逆フーリエ変換データを生成し、前記生成されたデータに基づいて前記受信信号伝達特性を生成する生成手段と、前記選択抽出されたデータ群から算出した総電力和に基づいて前記ＯＦＤＭ信号に対する窓位置情報を検出する窓位置検出手段とを備え、前記信号検波部は、前記窓位置検出手段によって検出された前記窓位置情報に応じて前記ＯＦＤＭ信号を検波する。【０００９】
上記課題を解決するために、請求項６記載の発明は、複数のキャリアを送信データに基づいて直交変調することにより生成した伝送シンボルを伝送単位として特定既知の複素振幅を持つパイロット信号が前記伝送シンボル内の所定のキャリアに重畳されたＯＦＤＭ信号を受信し、連続する複数の前記伝送シンボルに含まれるキャリア群を検波して得た受信信号をキャリア周波数とシンボル時間に対応した２次元空間上の２次元データ領域内に配置する信号検波ステップと、前記２次元データ領域内に配置されたパイロット信号に基づいて前記受信信号の各々に対する受信信号伝達特性を推定する伝達特性推定ステップと、前記受信信号及び前記受信信号伝達特性に基づいて前記送信データを復号するデータ復号ステップと、を有する受信方法であって、前記伝達特性推定ステップは、前記２次元データ領域内に配置されたパイロット信号に対するパイロット信号伝達特性を算出する算出ステップと、前記パイロット信号伝達特性について２次元フーリエ変換を施して、伝送路遅延時間と伝送路変動周波数に対応した２次元空間上の２次元フーリエ変換データを生成する変換ステップと、前記２次元フーリエ変換データのうち特定領域内のデータ群を通過させるための２次元フィルタ窓を算出する供給ステップと、前記２次元フィルタ窓に基づいて確定された前記特定領域内のデータ群を選択抽出するフィルタステップと、前記選択抽出されたデータ群に対して２次元逆フーリエ変換を施して、キャリア周波数とシンボル時間に対応した２次元空間上の２次元逆フーリエ変換データを生成し、前記生成されたデータに基づいて前記受信信号伝達特性を生成する生成ステップと、前記選択抽出されたデータ群から算出した総電力和に基づいて前記ＯＦＤＭ信号に対する窓位置情報を検出する窓位置検出ステップとを備え、前記信号検波ステップでは、前記窓位置検出ステップによって検出された前記窓位置情報に応じて前記ＯＦＤＭ信号を検波する。
【発明を実施するための最良の形態】
【００１０】
以下、本発明の一実施の形態を図面を参照しつつ説明する。【００１１】
なお、以下に説明する全ての実施形態では、ＩＳＤＢ−Ｔによる地上波デジタル放送の部分受信装置を例にとって説明を行う。ＩＳＤＢ−Ｔの規格による場合、ＯＦＤＭシンボルは、図１に示されるような１３個のセグメントによって構成されており、各セグメントには、例えば、伝送モード１の場合、１０８波のキャリアが含まれている。そして、部分受信装置とは、この１３セグメントのうちの中央部に位置するセグメント０に含まれるキャリアのみを復調する受信装置のことである。【００１２】
また、以下の事例においては、ＩＳＤＢ−Ｔ規格で定められた複数の伝送モードのうち、伝送モード１の場合を例にとって説明を行う。なお、伝送モード１における各変調パラメータの諸値を図２に、また、説明中で使用する各定数パラメータの諸値を図３に示す。【００１３】
図４は、本実施形態における受信装置１の構成例を示すブロック図である。受信装置１は、主に、シンボル検波部１１、シンボル記憶部１２、周波数領域処理部１３、伝達特性推定部２０及びデータ復号部３０を有する。なお、図中における信号の流れ示す矢印は、各構成要素間の主要な信号の流れを示すものであり、例えば、このような主要信号に付随する応答信号や監視信号等の信号に関しては、図中の矢印と逆方向の向きに伝達される場合を含むものとする。さらに、図中の矢印は、各構成要素間における信号の流れを概念的に示すものであって、実際の装置において、各信号が矢印で示される経路の通りに忠実に授受される必要はない。また、実際の装置では、各構成要素が同図に示されるように忠実に区分されている必要もない。【００１４】
シンボル検波部１１は、順次送信されてくるシンボルに対して、各シンボルに含まれるキャリア群を検波して、これらのキャリアの複素振幅（以下、“キャリア振幅”と称する）Ｓｐ，ｋを求める。ここで、Ｓｐ，ｋとはｋ番目のシンボルのｐ番目のキャリア振幅を表し、キャリアインデックスｐについては、図５に示すように、チャンネル中央のキャリアがインデックスｐ＝０に対応するように割り振るものとする。すなわち、チャンネル中央のキャリアはＳ０，ｋに、セグメント０のキャリア群はＳ−５４，ｋ〜Ｓ５３，ｋに、それぞれ対応するものとする。シンボル検波部１１は、例えば、チューナー、Ａ／Ｄ変換器、シンボル同期回路、ＦＦＴ窓位置制御回路、伝送モード／ガードインターバル比検出器、ガードインターバル除去（窓抽出）回路、及びＦＦＴ回路等の各構成回路によって構成される。受信されたＲＦ信号はチューナーでＩＦ信号に変換され、ＩＦ信号はＡＤ変換器で標本化、量子化される。量子化された受信データはシンボル同期回路でモード、ガードインターバル比の検出を行った後に、ＦＦＴ窓位置検出を行い、その窓位置検出結果に基づきＦＦＴ窓位置制御を行うことで受信データから有効シンボル長区間を抽出し、ＦＦＴを行う。ＦＦＴの結果、周波数軸上でのサブキャリア群からなるシンボルが算出される。また、シンボル検波部１１は伝達特性推定部２０からの窓位置検出結果とシンボル同期回路の検出結果をＦＦＴ窓位置制御回路でなんらかの選択手段により適応的に選択し、窓位置制御を行う機能を有するものとする。【００１５】
次に、シンボル記憶部１２は、シンボル検波部１１から出力されるキャリア振幅のうち、チャンネル中央部のｎＸ個を選択して、これをシンボル時間方向についてｎＹシンボル時間分に亘り記憶する回路である。即ち、図６に示されるＯＦＤＭシンボル空間内の（２次元領域キャリア幅ｎＸ×２次元領域シンボル幅ｎＹ個）のキャリア群について、キャリア振幅Ｓｐ，ｑ（−ｎＸ／２≦ｐ＜ｎＸ／２，ｋ−ｎＹ＜ｑ≦ｋ）を記憶・保持する。以下の説明では、これらの記憶保持されたキャリア振幅を（ｐ，ｑ）空間上の２次元配列｛Ｓｐ，ｑ：（ｐ，ｑ）∈Ｚ２Ｄ｝と考えて説明を行う。【００１６】
なお、図６に示されるようにｐはキャリアインデックス、ｑはシンボルインデックスであり、それぞれのインデックスが、キャリア周波数とシンボル時間に対応している。また、Ｚ２Ｄの範囲は、キャリア周波数方向において、
−ｎＸ／２  ≦  ｐ  ＜  ｎＸ／２
として定義され、また、シンボル時間方向においては、
ｋ−ｎＹ  ＜  ｑ  ≦  ｋ
として定義される。【００１７】
なお、ＯＦＤＭシンボル空間である（ｐ，ｑ）空間上に２次元配列された各々のキャリア振幅情報と、各キャリアの属性（当該キャリアがＳＰ信号、又はデータキャリア信号である属性）との関係を図７に示す。同図からも明らかなように、ＳＰ信号は１２キャリアに１つの割合で重畳されており、その重畳位置は１シンボル毎に３キャリアずつ巡回推移する。【００１８】
周波数領域処理部１３は、フレーム同期処理、ＴＭＣＣ復調処理などを施し、シンボル毎に０から２０３までのシンボルカウント値を生成してシンボル記憶部１２に記憶する。なおシンボル記憶部１２は、周波数領域処理部１３から供されるシンボルカウント値をシンボル検波部１１から供されるシンボル毎に付随させる形で記憶する。【００１９】
データ復号部３０は、シンボル記憶部１２に記憶されたキャリア振幅データ群の中から、さらに、図６に示される推定領域ＺＥＳＴ（−ｗＸ／２≦ｐ＜ｗＸ／２，ｋ−ｎＹ／２−ｗＹ／２≦ｑ＜ｋ−ｎＹ／２＋ｗＹ／２）内のキャリア振幅｛Ｓｐ，ｑ：（ｐ，ｑ）∈ＺＥＳＴ｝を抽出して、これに復号処理を加える部分である。【００２０】
また、伝達特性推定部２０は、シンボル記憶部１２に記憶されたキャリア振幅に基づいて、上記推定領域ＺＥＳＴ内のキャリア振幅に対する推定伝達特性を算出して、これをデータ復号部３０に供する部分である。【００２１】
データ復号部３０は、シンボル記憶部１２からのキャリア振幅と、伝達特性推定部２０からの推定伝達特性に基づいて、等化、デインターリーブ、リードソロモン復号等の処理を行って、この結果得られる受信データを出力する。なお、伝達特性推定部２０は、連続するｗＹ個のシンボル区間について伝達特性の推定を行うので、受信した１シンボル毎のタイミングで動作する必要はなく、ｗＹシンボルを受信する毎に１回の割合で動作すれば良い。また、このような動作タイミングはデータ復号部３０の動作タイミングについても同様である。【００２２】
次に、伝達特性推定部２０の構成、及び動作について説明を行う。【００２３】
先ず、伝達特性推定部２０の構成を図８に示す。同図に示されるように、伝達特性推定部２０は、主に、ＳＰ伝達特性算出部２１、２次元フーリエ変換部２２、２次元フィルタ回路２３、２次元逆フーリエ変換回路２４、推定伝達特性出力回路２５、フィルタ係数決定回路２６、及び窓位置検出回路２７から構成されている。なお、以下の説明では記載を簡略化すべく、これら各々の回路をそれぞれ、算出回路２１、変換部２２、フィルタ回路２３、逆変換部２４、出力回路２５、決定回路２６、及び窓位置検出回路２７と称する。以下の回路構成の詳細説明では、主として本実施形態において特有の構成である算出部２１、逆変換部２４及び窓位置検出回路２７を中心として説明し、その他の回路構成については動作説明において説明する。【００２４】
算出回路２１は、図９に示されるようにＳＰ伝達特性算出回路２１ａ及びＳＰ伝達特性抽出回路２１ｂを有する。このうちＳＰ伝達特性抽出回路を「抽出回路」と称する。ＳＰ伝達特性算出回路２１ａは、シンボル記憶部１２から供給されるキャリア振幅の中からＳＰ信号に関するキャリア振幅のみを抽出して、これを既知の送信複素振幅値で除算する。これによってＳＰ伝達特性算出回路２１ａは、（ｐ，ｑ）空間上に点在するＳＰ信号に関し、その伝達特性｛Ｈｐ，ｑ：（ｐ，ｑ）∈Ｚ２Ｄ｝を求めることができる。抽出回路２１ｂは、ＳＰ信号が全く重畳されていないキャリアインデックスを除き、３キャリアインデックス毎のＳＰ信号伝達特性を変換部２２に供する。【００２５】
逆変換部２４は、図１０に示されるように逆フーリエ変換回路２４ａ、乗算回路２４ｂ及びフーリエ変換回路２４ｃを有する。逆フーリエ変換回路２４ａは、シンボルインデックス方向のデータに対し、逆フーリエ変換処理を全キャリアインデックスにわたり施す。乗算回路２４ｂは、複素回転因子係数（ｅｘｐ（−ｊωｏｔ））を各キャリアに対して乗算する。なおｊは虚数単位を表しており、ｅｘｐ（ｘ）は複素数関数を表している。フーリエ変換回路２４ｃは、キャリアインデックス方向のデータに対し、フーリエ変換処理を全シンボルインデックスに亘り施すことで推定伝達特性を算出し、出力回路２５に提供する。つまり乗算回路２４ｂ及びフーリエ変換回路２４ｃはキャリアインデックス方向に演算を行っている。【００２６】
窓位置検出回路２７は、フィルタ回路２３の出力である推定伝達特性｛ｇｍ，ｎ｝を用いて、ＩＳＩ(シンボル間干渉)が最小になるようなＦＦＴ窓位置の検出を行い、その検出結果を窓位置情報としてシンボル検波部１１に出力する。具体的には、この窓位置検出回路２７は、フィルタ回路２３の出力である推定伝達特性｛ｇｍ，ｎ｝から算出した総電力和（以下「エコープロファイル」という）｛Ｅｍ｝に基づいてＯＦＤＭ信号に対する窓位置情報を検出する。窓位置検出回路２７は、図１１に示されるように、エコープロファイル算出回路２７ａ、畳み込み係数生成回路２７ｃ、畳み込み演算回路２７ｂ及びピーク検出回路２７ｄを有する。なお本実施形態では、移動平均を演算することを「畳み込む」と表現している。窓位置検出回路２７の詳細については後述する動作例において説明する。【００２７】
続いて、伝達特性推定部２０の動作を説明する。上述のようにＩＳＤＢ−Ｔ規格の地上波デジタル放送では、ＯＦＤＭシンボル空間のキャリア配列中におけるＳＰ信号の存在位置、及び送信時におけるＳＰ信号の複素振幅値は、予め定められている。それ故、算出部２１は、シンボル記憶部１２から供給されるキャリア振幅の中からＳＰ信号に関するキャリア振幅のみを抽出して、これを既知の送信複素振幅値で除算する。これによって、（ｐ，ｑ）空間上に点在するＳＰ信号に関し、その伝達特性｛Ｈｐ，ｑ：（ｐ，ｑ）∈Ｚ２Ｄ｝を求めることができる。このような算出手順は以下の通りである。【００２８】
算出部２１は、図９に示されるＳＰ伝達特性算出回路２１ａが、シンボル記憶部１２から供給されるキャリア振幅の中からＳＰ信号に関するキャリア振幅のみを抽出して、これを既知の送信複素振幅値で除算する。【００２９】
ＳＰ伝達特性算出回路２１ａは、図６に示される領域Ｚ２Ｄ内の全ての要素（ｐ，ｑ）について、Ｓｐ，ｑがＳＰ信号に相当する場合は、
Ｈｐ，ｑ＝Ｓｐ，ｑ／Ｒｐ，ｑ
として、当該ＳＰ信号に関する伝達特性Ｈｐ，ｑを求める。ここで、Ｒｐ，ｑは、既知であるＳＰ信号の送出複素振幅値である。【００３０】
一方、ＳＰ伝達特性算出回路２１ａは、ＳＰ信号以外のデータキャリア信号に対しては、
Ｈｐ，ｑ＝０
として、その伝達関数｛Ｈｐ，ｑ｝を定める。【００３１】
これによってＳＰ伝達特性算出回路２１ａは、（ｐ，ｑ）空間上に点在するＳＰ信号に関し、その伝達特性｛Ｈｐ，ｑ：（ｐ，ｑ）∈Ｚ２Ｄ｝を求めることができる。【００３２】
抽出回路２１ｂは、ＳＰ信号が全く重畳されていないキャリアインデックスを除き、３キャリアインデックス毎のＳＰ信号伝達特性｛Ｈｐ，ｑ｝を変換部２２に供する。【００３３】
つまり、１２キャリアに１つの割合で重畳されていたＳＰ信号は、図１３に示されるように３キャリア毎にしか存在しないようになる。そして重畳位置が１シンボル毎に３キャリアずつ巡回推移していたＳＰ信号は、その重畳位置が１シンボル毎に１キャリアずつ巡回推移している。【００３４】
即ち、図１２に示されるＯＦＤＭシンボル空間内のキャリア群について、２Ｄ−ＦＦＴ領域Ｚ’２Ｄ（−ｍＸ／２≦ｐ＜ｍＸ／２，ｋ−ｎＹ＜ｑ≦ｋ）のＳＰ信号伝達特性{Ｈ’ｐ，ｑ：(ｐ,ｑ)∈Ｚ’２Ｄ}を変換部２２に供する。また、同図において推定領域Ｚ’ＥＳＴの範囲を（−ｖＸ／２≦ｐ＜ｖＸ／２，ｋ−ｎＹ／２−ｗＹ／２≦ｑ＜ｋ−ｎＹ／２＋ｗＹ／２）とする。【００３５】
変換部２２は、（ｐ，ｑ）空間上のＳＰ信号伝達特性｛Ｈ’ｐ，ｑ｝について、２次元フーリエ変換を施して、これを（ｍ，ｎ）空間上のＳＰ信号伝達特性｛ｈｍ，ｎ：（ｍ，ｎ）∈Ｚ’ＴＲＡ｝に変換する。すなわち、（ｐ，ｑ）空間のキャリア周波数方向（ｐ方向）については、ＩＦＦＴ（逆高速フーリエ変換）処理を施すことで周波数領域を時間領域に変換し、シンボル時間方向（ｑ方向）については、ＦＦＴ（高速フーリエ変換）処理を施すことで時間領域を周波数領域に変換する。【００３６】
この結果、２次元フーリエ変換後の（ｍ，ｎ）空間では、そのｍ軸方向が時間の次元に、そのｎ軸方向が周波数の次元に、それぞれ対応することになる。また、（ｐ，ｑ）空間上の領域Ｚ’２Ｄが、（ｍ，ｎ）空間上に変換された領域Ｚ’ＴＲＡに対応し、同領域は、ｍ軸方向において、
−ｍＸ／２  ≦  ｍ  ＜  ｍＸ／２
として定義され、また、ｎ軸方向において、
−ｎＹ／２  ≦  ｎ  ＜  ｎＹ／２
として定義される。【００３７】
決定回路２６は、変換部２２によって（ｍ，ｎ）空間上にフーリエ変換されたデータ群に基づいて、２次元フィルタ窓｛Ｗｍ，ｎ｝を算出する。上記特許文献１で説明されているように、伝送路伝達特性のパワースペクトラム分布は、伝送路の性質に応じて（ｍ，ｎ）空間上の特定領域に集中する傾向がある。したがって、決定回路２６は、この領域をカバーする通過域を有する実係数の２次元フィルタ窓｛Ｗｍ，ｎ｝を算出し、フィルタ回路２３に供する。一例として、後述する図１５に示される領域Ａを通過域とし、その他の領域を阻止域とするような２次元フィルタ窓を設定すればよい。すなわち領域Ａにおいては２次元フィルタ窓｛Ｗｍ，ｎ｝は
Ｗｍ，ｎ＝１
として設定され、それ以外の領域については
Ｗｍ，ｎ＝０
として設定される。【００３８】
なお、このような２次元フィルタ窓としては、矩形窓や余弦降下窓などの様々な形状の窓関数が適用可能であることはいうまでもない。また決定回路２６は受信環境に適応した２次元フィルタ窓の通過域を設定すべきであることはいうまでもない。【００３９】
フィルタ回路２３は、変換部２２で（ｍ，ｎ）空間上にフーリエ変換されたデータ群に対して、所定のフィルタリング処理を施す回路である。【００４０】
フィルタ回路２３は、決定回路２６より供される実係数の２次元フィルタ窓｛Ｗｍ，ｎ｝を、（ｍ，ｎ）空間上のＳＰ信号伝達特性｛ｈｍ，ｎ｝に乗算して（ｍ，ｎ）空間上での推定伝達特性｛ｇｍ，ｎ｝を算出する。フィルタ回路２３によって算出された推定伝達特性｛ｇｍ，ｎ｝は、次段の逆変換部２４と窓位置検出回路２７に出力される。【００４１】
逆変換部２４は、フィルタ回路２３から供された推定伝達特性｛ｇｍ，ｎ｝に、２次元フーリエ変換の逆処理である２次元逆フーリエ変換を施して、｛ｇｍ，ｎ｝から（ｐ，ｑ）空間上の推定伝達特性｛Ｇｐ，ｑ：（ｐ，ｑ）∈Ｚ２Ｄ｝を算出する。【００４２】
逆変換部２４は、図１０に示される逆フ−リエ変換回路２４ａが、シンボルインデックス方向（ｎ軸方向）について逆フーリエ変換処理を全キャリアインデックスにわたり施すことで周波数領域から時間領域に変換する。【００４３】
乗算回路２４ｂは、時間領域においてキャリアインデックス方向（ｍ軸方向）について、ｍＸ区間で所定の位相回転が生じるように複素回転因子係数（ｅｘｐ（−ｊωｏｔ））を乗算する。なおｊは虚数単位を表しており、ｅｘｐ（ｘ）は複素指数関数を表している。【００４４】
フーリエ変換回路２４ｃは、キャリアインデックス方向（ｍ軸方向）について、フーリエ変換処理を施すことで時間領域から周波数領域に変換する。【００４５】
なお、逆変換部２４を、上記特許文献１と同様に逆フーリエ変換回路２４ａとフーリエ変換回路２４ｃのみで構成した場合、逆変換部２４で算出される推定伝達特性は｛Ｇ’ｐ，ｑ：（ｐ，ｑ）∈Ｚ’２Ｄ｝となり、推定領域はＺ’ＥＳＴとなる。伝達特性推定部２０が伝達特性を推定すべき領域はＺＥＳＴであるのに対し、推定領域Ｚ’ＥＳＴはキャリア方向について１／３の領域となっている。これはＳＰ伝達特性抽出回路２１ｂでＳＰ伝達特性{Ｈｐ，ｑ：（ｐ，ｑ）∈Ｚ２Ｄ}を３キャリア毎に抽出したＳＰ伝達特性{Ｈ’ｐ，ｑ：（ｐ，ｑ）∈Ｚ’２Ｄ}を変換部２２へ供給しているからであり、算出される推定伝達特性についても３キャリアインデックス毎の結果となる。【００４６】
よって、本実施形態の逆変換部２４は、逆フーリエ変換回路２４ａにおいてシンボル方向（ｎ軸方向）に逆フーリエ変換処理を施す。次に、後述する周波数移動定理を用いて、乗算回路２４ｂにおいて、キャリア方向に複素回転因子係数を乗算した後に、フーリエ変換回路２４ｃにおいてキャリア方向にフーリエ変換を施すことをシンボル毎に３回行うことで、推定領域ＺＥＳＴの範囲を含む推定伝達特性{Ｇｐ，ｑ：（ｐ，ｑ）∈Ｚ２Ｄ}を算出する。逆変換部２４で算出された推定伝達特性｛Ｇｐ，ｑ｝は、出力回路２５に供される。【００４７】
例えば、具体的に時間軸においてｍＸ区間でそれぞれ位相が０Π、２／３Π、４／３Π回転するような複素回転因子係数を乗算した後にフーリエ変換を施すことで、周波数軸においてそれぞれキャリアインデックスt＝３・ｐ、t＝３・ｐ＋１、t＝３・ｐ＋２（−ｍＸ≦ｐ＜ｍＸ）位置での推定伝達特性を算出することができ、領域Ｚ２Ｄの範囲における推定伝達特性が算出される。【００４８】
＜周波数移動定理について＞
Ｆ（ω）とｆ（ｔ）がフーリエ変換対であるならば、下記の式が成り立つ。
ｆ（ｔ）×ｅｘｐ（ｊω０ｔ）  ⇔  Ｆ（ω−ω０）
上記の式は「周波数領域でのω０の移動は、時間領域でのｅｘｐ（ｊω０ｔ）を乗算することと等価である」という定理を示している。【００４９】
出力回路２５は、データ復号部３０が抽出した推定領域ＺＥＳＴのキャリア振幅に対応する推定伝達特性｛Ｇｐ，ｑ：（ｐ，ｑ）∈ＺＥＳＴ｝が抽出されて、このような抽出データをデータ復号部３０に供する。【００５０】
なお、伝達特性推定部２０からデータ復号部３０に、Ｚ２Ｄ全領域についての推定伝達特性を出力しないのは、（ｐ，ｑ）空間の周辺部では、領域端部の影響により推定伝達特性に誤差が生じるためである。このような端部の影響を軽減するには、例えば、２次元領域キャリア幅ｎＸ、及び２次元領域シンボル幅ｎＹの具体的数値として、本実施形態の値よりも更に大きな値を用いれば良い。本実施形態では、推定領域シンボル幅ｗＹとしてｗＹ＝２０４なる値を用いているが、推定領域シンボル幅ｗＹはこのような値に限定されるものではない。同様に、推定領域キャリア幅ｗＸについても、本実施形態では、１セグメント部分受信装置の構成を考えて同セグメントに含まれるキャリア数に相当するｗＸ＝１０８なる値を用いたが、これについてもこのような値に限定されるものではない。例えば、伝送帯域の中央に配置された３セグメントを受信復調する受信装置の場合はｗＸ＝３２４とすれば良い。【００５１】
図１４は、上記特許文献１の図９に記載されているＳＰ信号の伝送路伝達特性のパワースペクトラム分布を示す図である。【００５２】
このパワースペクトラム分布は、２Ｄフーリエ変換処理が施されているので、ｍ軸方向は時間であり、有効シンボル長Ｔｅまでの遅延時間を表している。また、ｎ軸方向は周波数であり、シンボル送出周波数Ｆａまでのドップラー周波数を表している。【００５３】
しかしＳＰ信号が３キャリア毎にしか重畳されていないため、有効シンボル長Ｔｅの１／３周期で伝送路伝達特性がｍ軸方向に繰り返されていることが確認できる。例えば、有効シンボル長Ｔｅの１／３を超えるような遅延波が存在した場合、ＳＰ信号の伝達特性は有効シンボル長Ｔｅの１／３周期に折り返される形でしか観測することはできない。よって、有効なＳＰ信号伝達特性はｍ軸方向に対しＴｅ／３区間のみである。【００５４】
一方、本実施形態では、算出部２１が変換部２２に３キャリアインデックス毎のＳＰ信号伝達特性｛Ｈ’ｐ，ｑ｝を供するため、変換部２２の出力であるＳＰ信号伝達特性｛ｈｍ，ｎ｝のパワースペクトラム分布｛｜ｈｍ，ｎ｜２｝は、図１５に示されるように、ｍ軸方向については有効シンボル長Ｔｅの１／３までの遅延時間を表している。ｎ軸方向については、図１４に示す場合と同様にシンボル送出周波数Ｆａの周波数を表している。【００５５】
以上のように、本実施形態においては、ＳＰ信号伝達特性の時間方向（ｍ軸方向）に有効な区間であるＴｅ／３幅に亘り伝達特性が算出されているため、推定伝達特性の精度を低下させることなく、より少ない演算処理量で推定伝達特性を算出することができる。【００５６】
窓位置検出回路２７は、図１１に示されるように、エコープロファイル算出回路２７ａが、フィルタ回路２３の出力である推定伝達特性｛ｇｍ，ｎ｝からエコープロファイル｛Ｅｍ｝を算出し、このエコープロファイル｛Ｅｍ｝を畳み込み演算回路２７ｂに供する。つまり、エコープロファイル算出回路２７ａは、エコープロファイル｛Ｅｍ｝を下記の式のように、推定伝達特性｛ｇｍ，ｎ｝のシンボルインデックス（ｎ軸)方向における電力総和を全キャリアインデックス（ｍ軸）方向に沿って算出している。
2009125499.tif 000003
【００５７】
上記算出したエコープロファイル｛Ｅｍ｝は相対的な電波受信時刻での受信電力を表したものである。なおｇ（ｍ，ｎ）は｛ｇｍ，ｎ｝に相当し、Ｅ（ｍ）は｛Ｅｍ｝に相当する。【００５８】
畳み込み係数生成回路２７ｃは、モード、ガードインターバル比と予め設定されたパラメータ群より畳み込み係数｛Ｃｍ｝を生成し、この畳み込み係数｛Ｃｍ｝を畳み込み演算回路２７ｂに供する。畳み込み演算回路２７ｂは、エコープロファイル｛Ｅｍ｝と畳み込み係数｛Ｃｍ｝の畳み込み演算を行って電力総和｛Ｐｇｍ｝を算出し、電力総和｛Ｐｇｍ｝をピーク検出回路２７ｄに供する。【００５９】
ピーク検出回路２７ｄは、電力総和｛Ｐｇｍ｝が最大となる位置ｋを検出して、検出結果ｋを窓位置情報としてシンボル検波部１１に出力する。またピーク検出回路２７ｄは、その検出結果の信頼度としてその位置ｋにおける電力総和｛Ｐｇｋ｝も窓位置情報としてシンボル検波部１１に出力する。【００６０】
シンボル検波部１１では窓位置制御部が窓位置検出回路２７からの出力である検出位置ｋを受け取り、ＦＦＴ窓位置の制御を行う際に用いても良い。また信頼度として出力される電力総和｛Ｐｇｋ｝を例えば電力総和｛Ｐｇｋ｝がある閾値より小さい、つまり検出位置ｋの結果が信頼できないと判断した場合は、窓位置の更新を停止するような制御に利用しても良い。【００６１】
例として理想的な受信環境下におけるエコープロファイル｛Ｅｍ｝は、図１６に示されるように遅延波を生じていない１本の信号として表される。なお矢印の長さは、エコープロファイル｛Ｅｍ｝の強度を表している。横軸は時間を表し、縦軸が受信電力を表す。【００６２】
エコープロファイル｛Ｅｍ｝からＩＳＩ（シンボル間干渉）が最小になるような位置の検出を行うには、ガードインターバル（以下「ＧＩ」と省略する）区間幅外での受信電力和が最小になる位置を検出すればよい。またその逆に、ＧＩ区間幅内での受信電力和が最大になる位置を検出するようにしてもよい。ここでは後者について説明を行う。【００６３】
＜矩形の係数で畳み込む演算例＞
ＧＩ区間をＴｇとすると、ＧＩ区間における電力総和を算出するためにエコープロファイル｛Ｅｍ｝を畳み込む係数として畳み込み係数｛Ｃｍ｝（Ｃ（ｍ）に相当）を以下のように設定する。【００６４】
Ｃ（ｍ）＝１．０  （０≦ｍ＜Ｔｇ）
Ｃ（ｍ）＝０．０  （ｍ＜０，ｍ≧Ｔｇ）
この畳み込み係数｛Ｃｍ｝は図１７に示されるように矩形形状となる。【００６５】
次にエコープロファイル｛Ｅｍ｝を係数｛Ｃｍ｝で畳み込み、ＧＩ区間での電力総和｛Ｐｇｍ｝（下式のＰｇ（ｍ）に相当）を全区間で算出する。【００６６】
2009125499.tif 000004
【００６７】
下記に畳み込み演算結果例の図１８を示す。この畳み込み演算結果例では、図１６に示す理想的な環境下におけるエコープロファイル｛Ｅｍ｝に対応して演算された結果（電力総和｛Ｐｇｍ｝）を表している。【００６８】
次にピーク検出回路２７ｄは、ＧＩ区間での電力総和｛Ｐｇｍ｝が最大値となる位置ｍ＝ｋを検出し、位置検出情報として値ｋを出力する。またピーク検出回路２７ｄは、検出結果の信頼度として、電力総和｛Ｐｇｋ｝を窓位置情報として同時に出力し、ＦＦＴ窓位置を制御する際に利用するようにしても良い。例えば、電力総和｛Ｐｇｋ｝がある閾値より小さい、つまり検出結果が信頼できないと判断した場合は、窓位置の更新を停止するような制御を行うようにしても良い。【００６９】
次に図１９に示すような遅延波の生じているエコープロファイル｛Ｅｍ｝の場合に、畳み込み演算回路２７ｂが図２０に示すような矩形形状の畳み込み係数｛Ｃｍ｝を用いて畳み込み演算を行うと、図２１に示すような一塊の電力総和｛Ｐｇｍ｝を算出することができる。従って図１９に示されるように遅延波がＧＩ区間Ｔｇ内に収まっている場合には、電力総和｛Ｐｇｍ｝が図２１に示されるように１つの連続した集合となり、算出した電力総和｛Ｐｇｍ｝に基づいて正確に窓位置検出を行うことができる。【００７０】
しかし、上記の畳み込み係数｛Ｃｍ｝の場合、エコープロファイル｛Ｅｍ｝がＧＩ区間Ｔｇを超えるような長遅延マルチパスが存在するような受信環境下では、ＧＩ区間Ｔｇのみでの受信電力和を検出対象としているため、最適な窓位置を検出できない場合もある。【００７１】
具体的には、図２２に示すような遅延波の生じているエコープロファイル｛Ｅｍ｝の場合に、図２３に示すような矩形形状のＧＩ区間Ｔｇの畳み込み係数｛Ｃｍ｝を用いて畳み込み演算を行うと、図２４に示すような電力総和｛Ｐｇｍ｝を算出することができる。図２２に示されるように遅延波がＧＩ区間Ｔｇ内に収まっていないエコープロファイル｛Ｅｍ｝の場合には、電力総和｛Ｐｇｍ｝が図２４に示されるように一塊とならず、算出した電力総和｛Ｐｇｍ｝に基づいて正確に窓位置検出を行うことができない。【００７２】
＜台形の係数で畳み込む演算例＞
そこで、畳み込み演算回路２７ｂは、算出されたエコープロファイル｛Ｅｍ｝を、図２６に示されるようにＧＩ区間Ｔｇ内では１とし、ＧＩ区間外では１から０へ徐々に降下するような台形形状の畳み込み係数｛Ｃｍ｝を用いて畳み込みを行うことで電力総和｛Ｐｇｍ｝を算出するようにしても良い。【００７３】
図２５に示されるように遅延波が生じていないエコープロファイル｛Ｅｍ｝の場合には、畳み込み演算回路２７ｂは、図２６に示すような台形形状の畳み込み係数｛Ｃｍ｝を用いて畳み込み演算を行うと、図２７に示すような電力総和｛Ｐｇｍ｝を算出することができる。図２６において畳み込み係数｛Ｃｍ｝は、ＧＩ区間Ｔｇにおいては１に設定されており、ＧＩ区間外では、その台形形状の両斜辺がＧＩ区間幅Ｔｇにわたり１から０となるように傾斜している。図２５に示されるように遅延波が生じていない場合には、電力総和｛Ｐｇｍ｝は図２７に示すように１つの連続した集合となり、ピーク検出回路２７ｄがそのピークを捉えることができる。このため窓位置検出回路２７は算出した電力総和｛Ｐｇｍ｝に基づいて窓位置検出を行うことができる。【００７４】
次に図２８に示されるようにＧＩ区間Ｔｇ内に収まっている遅延波が生じているエコープロファイル｛Ｅｍ｝の場合には、畳み込み演算回路２７ｂは、図２９に示すような台形形状の畳み込み係数｛Ｃｍ｝を用いて畳み込み演算を行うと、図３０に示すような一塊の電力総和｛Ｐｇｍ｝を算出することができる。図２８に示されるように遅延波がＧＩ区間Ｔｇ内に収まっているエコープロファイル｛Ｅｍ｝の場合には、電力総和｛Ｐｇｍ｝が図３０に示されるように１つの連続した集合となり、ピーク検出回路２７ｄがそのピークを捉えることができる。このため窓位置検出回路２７は算出した電力総和｛Ｐｇｍ｝に基づいて窓位置検出を行うことができる。【００７５】
次に図３１に示されるようにＧＩ区間Ｔｇ内に収まらない遅延波が生じているエコープロファイル｛Ｅｍ｝の場合においても、畳み込み演算回路２７ｂは、図３２に示すような台形形状の畳み込み係数｛Ｃｍ｝を用いて畳み込み演算を行うと、図３３に示すような一塊の電力総和｛Ｐｇｍ｝を算出することができる。図３１に示されるように遅延波がＧＩ区間Ｔｇ内に収まっていないエコープロファイル｛Ｅｍ｝の場合でも、電力総和｛Ｐｇｍ｝が図３３に示されるように１つの連続した集合となり、ピーク検出回路２７ｄがそのピークを捉えることができる。このため窓位置検出回路２７は算出した電力総和｛Ｐｇｍ｝に基づいて窓位置検出を行うことができる。【００７６】
このようにすると、畳み込み演算回路２７ｂは、エコープロファイル｛Ｅｍ｝のエコースプレッド幅がＧＩ区間幅よりも広いマルチパス受信環境下に対応可能となる。よって、ＧＩ区間Ｔｇを超えるような長遅延波が存在するエコープロファイル｛Ｅｍ｝の場合においても適切な窓位置検出が可能である。このように傾斜幅を変更することにより、さまざまな受信環境下で最適な窓位置検出が可能になる。ここでいう傾斜幅は角度で表しても良いし、パラメータ化することにより傾斜幅を変更可能な形態を採用しても良い。【００７７】
以上のように係数を矩形形状から台形形状とすることにより、図３１に示すようなＧＩ区間Ｔｇを超える超遅延波が存在するエコープロファイル｛Ｅｍ｝の場合でも、窓位置検出回路２７は最適な窓位置を検出することができる。【００７８】
＜矩形の係数で２回畳み込む演算例＞
またこの他にも、畳み込み演算回路２７ｂは、算出されたエコープロファイル｛Ｅｍ｝を矩形形状の畳み込み係数｛Ｃｍ｝を用いて畳み込み演算を行った後、さらにその畳み込み演算結果について矩形形状の畳み込み係数｛Ｃｍ｝を用いて畳み込み演算を行うことで電力総和｛Ｐｇｍ｝を算出するようにしても良い。【００７９】
つまり畳み込み演算回路２７ｂは、まず図２２に示されるエコープロファイル｛Ｅｍ｝について図２３に示す矩形形状の畳み込み係数｛Ｃｍ｝を用いた１回目の畳み込み演算を行い、上述した図２４に示す電力総和｛Ｐｇｍ｝を算出する。さらに畳み込み演算回路２７ｂは、図２３に示す矩形形状の畳み込み係数｛Ｃｍ｝を用いて当該算出済の電力総和｛Ｐｇｍ｝についてもう１回畳み込み演算を行う。図２３に示す矩形形状の畳みこみ係数｛Ｃｍ｝を２回畳み込むことで、図２６に示す台形形状の畳みこみ係数を畳みこんだのと同等の結果が得られる。【００８０】
よって図３３に示されるように電力総和｛Ｐｇｍ｝が得られる。図３３に示すように電力総和｛Ｐｇｍ｝が連続し、ピーク検出回路２７ｄが当該２回目の電力総和｛Ｐｇｍ｝のピークを用いて窓位置を検出することができる。しかも畳み込み係数｛Ｃｍ｝が矩形形状である場合には、畳み込み演算回路２７ｂは、演算量の大きくなりがちな乗算回路を用いる代わりに、シフトレジスタを用いて加減算のみで少ない演算で済ませることが可能となる。【００８１】
次に、本実施形態において動作が複雑な逆変換部２４の処理についてのみ具体的にフローチャートを用いて説明を行う。図３４は、２Ｄ逆フーリエ変換処理の手順例を示すフローチャートである。逆フーリエ変換処理は逆フーリエ変換部２４によって実行される。【００８２】
シンボル方向逆フーリエ変換処理（Ｓ−ＩＦＦＴ処理とも称する）は、（ｐ，ｑ）空間についてシンボル方向に逆フーリエ変換を行う処理を示している（ステップＳ１００）。キャリア方向フーリエ変換処理（Ｃ−ＩＦＦＴ処理とも称する）は、（ｐ，ｑ）空間についてキャリア方向にフーリエ変換を行う処理を示している（ステップＳ２００）。【００８３】
以下の説明においては各計算式が次のように表される。なお下記の式においては、「ＦＦＴ」がフーリエ変換を施す関数を示しており、「ＩＦＦＴ」が逆フーリエ変換を施す関数を示している。【００８４】
１．ｎについての１Ｄ（１次元）フーリエ変換処理
Ｆ（ｐ，ｑ）＝ＦＦＴ（ｆ（ｐ，ｎ））ｄｎ【００８５】
２．ｑについての１Ｄ（１次元）逆フーリエ変換処理
ｆ（ｍ，ｎ）＝ＩＦＦＴ（Ｆ（ｍ，ｑ））ｄｑ【００８６】
図３５は、図３４に示すシンボル方向逆フーリエ変換処理の手順例を示すフローチャートである。なお以降の各フローチャートにおける記号「←」は左辺の変数に右辺の値や式を設定することを表している。【００８７】
ステップＳ１０２では、シンボル方向カウンタ値ｎについて逆フーリエ変換処理を行う。当該ステップＳ１０２は、キャリア方向に２次元領域キャリア幅ｍＸ回繰り返し行われる（ステップＳ１０１，Ｓ１０３，Ｓ１０４）。【００８８】
図３６は、図３４に示すキャリア方向フーリエ変換処理の手順例を示すフローチャートである。【００８９】
ステップＳ３００では回転因子乗算処理が実行される。この回転因子乗算処理は、繰り返し回数インデックスｋとキャリアインデックスｍに基づいた回転因子係数をキャリア方向に乗算する。この回転因子乗算処理の詳細については後述する。【００９０】
ステップＳ２０３では、キャリアインデックスｍについてフーリエ変換処理を行う。ステップＳ４００では推定領域抽出処理が実行される。この推定領域抽出処理は推定領域の推定伝達特性を抽出している。この推定領域抽出処理は、図１２で示される推定領域幅ｖＸ（図６の推定領域キャリア幅ｗＸ／３に相当）の推定伝達特性のみを抽出し、図示しないメモリに格納する。これらステップＳ３００，Ｓ２０３，Ｓ４００は一例として１シンボル毎に３回に亘り繰り返される（ステップＳ２０２，Ｓ２０４，Ｓ２０５）。当該フローチャートでは、２次元領域シンボル幅ｎＹに亘り、当該キャリア方向のフーリエ変換処理が繰り返し実行されているが（ステップＳ２０１，Ｓ２０６，Ｓ２０７）、推定領域シンボル幅ｗＹに亘り繰り返し実行されるようにしても良い。【００９１】
図３７は、図３６に示す回転因子乗算処理の具体的な手順例を示すフローチャートである。【００９２】
ステップＳ３０２では、繰り返し回数インデックスｋとキャリアインデックスｍに基づいて、回転因子係数の複素指数ｐｈを算出している。ステップＳ３０３では変数ｚが算出される。記号「＆」は、例えば、その左右に記載された変数などをビット単位で論理積演算することを表している。ステップＳ３０４では、ステップＳ３０２で算出した複素指数ｐｈを用いて回転因子係数ｅｘｐ（ｐｈ）を乗算している。これらステップＳ３０２，Ｓ３０３，Ｓ３０４は、推定領域キャリア幅ｗＸ／２に亘り繰り返し実行される（ステップＳ３０１，Ｓ３０５，Ｓ３０６）。【００９３】
図３８は、図３６に示す推定領域抽出処理の具体的な手順例を示すフローチャートである。なおｎＴはキャリア方向算出範囲パラメータを表しており、本実施形態ではｎＴ＝ｗＸ／３と設定される（ステップＳ４０１）。また対象キャリア算出変数ｃは、処理の対象とすべきキャリアを特定するための算出用変数を表している。【００９４】
ステップＳ４０４では、変数ｚが設定される。ステップＳ４０５では、キャリア方向フーリエ変換毎に算出される推定伝達特性を３キャリアインデックスごとに図示しないメモリに格納している。ステップＳ４０６では、対象とすべきキャリアを３キャリア毎とするため、対象キャリア算出変数ｃが３インクリメントされる。【００９５】
以上のようなステップＳ４０４，Ｓ４０５，Ｓ４０６が一例として３キャリア毎に−ｎＴ／２〜ｎＴ／２に亘り実行される（ステップＳ４０１，Ｓ４０２，Ｓ４０３，Ｓ４０７，Ｓ４０８）。【００９６】
以上説明したように、本実施形態における受信装置１は、複数のキャリアを送信データに基づいて直交変調することにより生成した伝送シンボルを伝送単位として特定既知の複素振幅を持つパイロット信号が前記伝送シンボル内の所定のキャリアに重畳されたＯＦＤＭ信号を受信し、連続する複数の前記伝送シンボルに含まれるキャリア群を検波して得た受信信号をキャリア周波数とシンボル時間に対応した２次元空間上の２次元データ領域内に配置する信号検波部１１（シンボル検波部）と、前記２次元データ領域内に配置されたパイロット信号に基づいて前記受信信号の各々に対する受信信号伝達特性を推定する伝達特性推定部２０と、前記受信信号及び前記受信信号伝達特性に基づいて前記送信データを復号するデータ復号部３０と、を有する受信装置１であって、前記伝達特性推定部２０は、前記２次元データ領域内に配置されたパイロット信号に対するパイロット信号伝達特性を算出する算出手段２１（ＳＰ伝達特性算出部）と、前記パイロット信号伝達特性について２次元フーリエ変換を施して、伝送路遅延時間と伝送路変動周波数に対応した２次元空間上の２次元フーリエ変換データを生成する変換手段２２（２Ｄフーリエ変換回路）と、前記２次元フーリエ変換データのうち特定領域内のデータ群を通過させるための２次元フィルタ窓を算出する供給手段２６（フィルタ係数決定回路）と、前記２次元フィルタ窓に基づいて確定された前記特定領域内のデータ群を選択抽出するフィルタ手段２３（２Ｄフィルタ回路）と、前記選択抽出されたデータ群に対して２次元逆フーリエ変換を施して、キャリア周波数とシンボル時間に対応した２次元空間上の２次元逆フーリエ変換データを生成し、前記生成されたデータに基づいて前記受信信号伝達特性を生成する生成手段２４（２Ｄ逆フーリエ変換回路）と、前記選択抽出されたデータ群から算出した総電力和｛Ｅｍ｝（エコープロファイル）に基づいて前記ＯＦＤＭ信号に対する窓位置情報を検出する窓位置検出手段２７（窓位置検出回路）とを備え、前記信号検波部１１は、前記窓位置検出手段２７によって検出された前記窓位置情報に応じて前記ＯＦＤＭ信号を検波することを特徴とする。【００９７】
以上説明したように、本実施形態における受信方法は、複数のキャリアを送信データに基づいて直交変調することにより生成した伝送シンボルを伝送単位として特定既知の複素振幅を持つパイロット信号が前記伝送シンボル内の所定のキャリアに重畳されたＯＦＤＭ信号を受信し、連続する複数の前記伝送シンボルに含まれるキャリア群を検波して得た受信信号をキャリア周波数とシンボル時間に対応した２次元空間上の２次元データ領域内に配置する信号検波ステップと、前記２次元データ領域内に配置されたパイロット信号に基づいて前記受信信号の各々に対する受信信号伝達特性を推定する伝達特性推定ステップと、前記受信信号及び前記受信信号伝達特性に基づいて前記送信データを復号するデータ復号ステップと、を有する受信方法であって、前記伝達特性推定ステップは、前記２次元データ領域内に配置されたパイロット信号に対するパイロット信号伝達特性を算出する算出ステップと、前記パイロット信号伝達特性について２次元フーリエ変換を施して、伝送路遅延時間と伝送路変動周波数に対応した２次元空間上の２次元フーリエ変換データを生成する変換ステップと、前記２次元フーリエ変換データのうち特定領域内のデータ群を通過させるための２次元フィルタ窓を算出する供給ステップと、前記２次元フィルタ窓に基づいて確定された前記特定領域内のデータ群を選択抽出するフィルタステップと、前記選択抽出されたデータ群に対して２次元逆フーリエ変換を施して、キャリア周波数とシンボル時間に対応した２次元空間上の２次元逆フーリエ変換データを生成し、前記生成されたデータに基づいて前記受信信号伝達特性を生成する生成ステップと、前記選択抽出されたデータ群から算出した総電力和｛Ｅｍ｝（エコープロファイル）に基づいて前記ＯＦＤＭ信号に対する窓位置検出ステップとを備え、前記信号検波ステップでは、前記窓位置検出ステップによって検出された前記窓位置情報に応じて前記ＯＦＤＭ信号を検波することを特徴とする。【００９８】
これら受信装置１及び受信方法においては、それぞれ、一般的な方法のようにシンボルＦＦＴ変換を行う前の時間軸上のデータを用いてガードインターバル相関を利用し窓位置検出を行う代わりに、シンボルフーリエ変換を行った後の周波数軸上でのデータよりＳＰ信号伝達特性を算出し、算出したＳＰ信号伝達特性に基づいて窓位置検出を行っている。このようにすると、マルチパスが生じる環境下で高層ビルなどでの反射により非常に電力が小さくなっている遅延波であっても、受信信号伝達特性｛ｇｍ，ｎ｝（推定伝達特性）から算出した総電力和｛Ｅｍ｝（エコープロファイル）に基づいて精度良く窓位置検出を行うことができる。【００９９】
上記実施形態における受信装置１は、上述した構成に加えてさらに、前記窓位置検出手段２７（窓位置検出回路）は、前記選択抽出されたデータ群に基づいて総電力和｛Ｅｍ｝（エコープロファイル）を算出する総電力和算出手段２７ａ（プロファイル算出回路）と、前記算出された総電力和｛Ｅｍ｝を、移動平均演算係数｛Ｃｍ｝（畳み込み係数）を用いて移動平均を算出することで電力総和｛Ｐｇｍ｝を演算し、前記電力総和｛Ｐｇｍ｝に基づいて前記窓位置情報を算出する窓位置算出手段２７ｂ，２７ｄ（畳み込み演算回路、ピーク検出回路）とを備えることを特徴とする。【０１００】
このようにすると、マルチパスが生じる環境下で高層ビルなどでの反射により非常に電力が小さくなっている遅延波であっても、総電力和算出手段２７ａが推定伝達特性｛ｇｍ，ｎ｝から算出した総電力和｛Ｅｍ｝（エコープロファイル）に基づいて、窓位置検出回路２７が精度良く窓位置検出を行うことができる。【０１０１】
上記実施形態における受信装置１は、上述した構成に加えてさらに、前記窓位置検出手段２７（窓位置検出回路）は、少なくともガードインターバル比に基づいて前記移動平均演算係数｛Ｃｍ｝を生成し、前記窓位置算出手段２７ｂ，２７ｄに対して供する係数生成手段２７ｃ（畳み込み係数生成回路）を備えることを特徴とする。【０１０２】
このようにすると、窓位置算出手段２７ｂ，２７ｄは、少なくともガードインターバル比に応じて適切に生成された移動平均演算係数｛Ｃｍ｝を用いて適切な窓位置検出を精度良く行うことができる。【０１０３】
上記実施形態における受信装置１は、上述した構成に加えてさらに、前記係数生成手段２７ｃは、前記移動平均演算係数｛Ｃｍ｝として、横軸をタップ長とした場合の縦軸の係数値が台形形状の係数を生成し、前記窓位置算出手段２７ｂ，２７ｄは、前記算出された総電力和｛Ｅｍ｝を、前記台形形状の係数を用いて１回移動平均を算出することで前記電力総和｛Ｐｇｍ｝を演算することを特徴とする。【０１０４】
このようにすると、ガードインターバルを超える超遅延波が存在しても精度良く窓位置検出を行うことができる。【０１０５】
上記実施形態における受信装置１は、上述した構成に加えてさらに、前記係数生成手段２７ｃは、前記移動平均演算係数｛Ｃｍ｝として、横軸をタップ長とした場合の縦軸の係数値が矩形形状の係数を生成し、前記窓位置算出手段２７ｂ，２７ｄは、前記算出された総電力和｛Ｅｍ｝を前記矩形形状の係数を用いて移動平均を算出した後、さらにその算出結果を前記矩形形状の係数を用いて移動平均を算出することで前記電力総和｛Ｐｇｍ｝を演算することを特徴とする。【０１０６】
このようにすると、演算量を抑制しつつ、台形形状の移動平均演算係数｛Ｃｍ｝を用いる場合と同様の効果を発揮することができる。【０１０７】
なお、本実施形態は、上記に限られず、種々の変形が可能である。以下、そのような変形例を順を追って説明する。【０１０８】
＜エコープロファイルの算出方法の変形例＞
上述した実施形態では、窓位置検出回路２７は、一例としてフィルタ回路２３からの推定伝達特性｛ｇｍ，ｎ｝（受信信号伝達特性）からエコープロファイル｛Ｅｍ｝（総電力和）を算出しているがこれに限られず、エコープロファイル｛Ｅｍ｝の算出方法までの部分についてはその他の方法を採用しても良い。例えば窓位置検出回路２７は、受信信号に基づいてエコープロファイル｛Ｅｍ｝を算出するようにしても良い。具体的には２次元空間上のＳＰ信号伝達特性｛Ｈｐ，ｑ｝を算出するのではなく、シンボル毎に１次元空間での｛Ｈｐ｝を算出し、その１次元空間上でのＳＰ信号伝達特性｛Ｈｐ｝に基づいてエコープロファイル｛Ｅｍ｝を算出するようにしても良い。例えば、１次元空間上での前記ＳＰ信号伝達特性｛Ｈｐ｝に逆フーリエ変換処理を施すことで１次元フーリエ変換データを算出し、その１次元フーリエ変換データをエコープロファイル｛Ｅｍ｝としても良い。また、シンボル毎に算出した１次元フーリエ変換データを積算して、統計的な１次元フーリエ変換データを算出し、それをエコープロファイル｛Ｅｍ｝としても良い。以上、変形例においてはエコープロファイル｛Ｅｍ｝を算出する手段について限定しない。【０１０９】
このようにすると、マルチパスが生じる環境下で高層ビルなどでの反射により非常に電力が小さくなっている遅延波であっても、受信信号に基づいて算出した総電力和（エコープロファイル）に基づいて精度良く窓位置検出を行うことができる。【０１１０】
＜本実施形態の変形例＞
ところで、図３９は、変換部２２の出力であるＳＰ信号伝達特性｛ｈｍ，ｎ｝のパワースペクトラム分布｛｜ｈｍ，ｎ｜２｝であり、後述する性質Ａを示す図である。なお（ｍ，ｎ）空間はＯＦＤＭシンボル空間に相当する。【０１１１】
変換部２２において２Ｄフーリエ変換処理を施して算出したＳＰ信号伝達特性｛ｈｍ，ｎ｝は、ＳＰ信号の規則的な配置により以下の性質を有する。なおＳＰ信号伝達特性｛ｈｍ，ｎ｝はｈ（ｍ，ｎ）に相当する。
ｈ（ｍ＆（ｍＸ−１），ｎ＆（ｎＹ−１））
＝ｈ（ｍ＆（ｋＸ−１），（ｎ＋ｋ×ｎＹ／４）＆（ｎＹ−１））
×ｅｘｐ（−ｊ×２π／４×（ｋ×ｃｏ４））  ・・・（１）
ｃｏ４＝（ｓｙｍｃｏ＋（２＜＜ｍｏｄｅ））＆３
ｋ＝（４−ｆｌｏｏｒ（（（ｍ＆（ｍＸ−１）＋（ｋＸ／２））／ｋＸ））＆３
ｋＸ＝ｍＸ／４【０１１２】
変数ｍｏｄｅは伝送モードを表しており、例えばモード１のときは０、モード２のときは１、モード３のときは２である。変数ｓｙｍｃｏは、変換部２２に供されるシンボル群の内、ｑ軸原点に配置、記憶されているシンボル、すなわち図１２におけるｑ＝ｋ−２５５シンボルに付随するシンボルカウント値である。関数ｆｌｏｏｒ（ｘ）はｘ以下の最大の整数値を計算する関数である。【０１１３】
図３９においては（ｍ，ｎ）空間は（−ｍＸ／２≦ｍ＜ｍＸ／２、−ｎＹ／２≦ｎ＜ｎＹ）の範囲で表現されているが、（１）式では（０≦ｍ＜ｍＸ、０≦ｎ＜ｎＹ）の範囲で定義されている。即ち、図３９における（ｍ，ｎ）空間上でｍ＝−１は（１）式ではｍ＝ｍＸ−１として定義されている。【０１１４】
即ち、（１）式の右辺第一項目ｈ（ｍ＆（ｋＸ−１），（ｎ＋ｋ×ｎＹ／４）＆（ｎＹ−１））は図３９の領域Ｈのみを示している。よって、（１）式は領域ＨのＳＰ信号伝達特性から（ｍ，ｎ）空間上の任意のＳＰ信号伝達特性｛ｈｍ，ｎ｝を容易に算出することができることが示されている。よって、（１）式は（ｍ，ｎ）空間上でＳＰ信号伝達特性｛ｈｍ，ｎ｝は１つの独立変数群と３つの従属変数群から成立していることを意味している。この性質を呼称として性質Ａと呼ぶこととする。【０１１５】
要するに、図３９の領域ＨにあたるＳＰ信号伝達特性のみを算出するように工夫することで、さらに変換部２２の演算処理量の削減を行うことが期待できる。以下に示す本実施形態の変形例は、上記性質Ａを利用することで変換部２２の演算処理量をさらに削減することを目的としたものである。【０１１６】
図４０は、本実施形態の変形例による受信装置１ａの構成例を示すブロック図である。本実施形態の変形例による受信装置１ａは、本実施形態による受信装置１とほぼ同様の構成でありほぼ同様の動作を行う。このため本実施形態の変形例では、同一の構成及び動作については本実施形態における図１乃至図３８と同一の符号を用いるとともに、その説明を省略し、以下の説明では異なる点を中心として説明する。【０１１７】
本実施形態の変形例による受信装置１ａは、本実施形態による伝達特性推定部２０の代わりに、当該伝達特性推定部２０とほぼ同様の機能を有する伝達特性推定部２０ａを有する。【０１１８】
図４１は、図４０に示される伝達特性推定部２０ａの構成例を示すブロック図である。本実施形態の変形例による伝達特性推定部２０ａは、本実施形態における伝達特性推定部２０とは、主として、算出部２１の一部の機能が異なるとともに、変換部２２の構成及び機能が異なっている。【０１１９】
本実施形態では、算出部２１のＳＰ伝達特性算出回路２１ａが、例えば３キャリアインデックス毎にＳＰ信号の伝達特性｛Ｈｐ，ｑ｝を抽出していたが、これに対して本実施形態の変形例では、ＳＰ伝達特性抽出回路２１ａが、例えば１２キャリアインデックス毎にＳＰ信号のみの伝達特性｛Ｈｐ，ｑ｝を抽出する。【０１２０】
算出部２１は、上記図９に示されるＳＰ伝達特性算出回路２１ａが、シンボル記憶部１２から供給されるキャリア振幅の中からＳＰ信号に関するキャリア振幅のみを抽出して、これを既知の送信複素振幅値で除算する。【０１２１】
ＳＰ伝達特性算出回路２１ａは、図６に示される領域Ｚ２Ｄ内の全ての要素（ｐ，ｑ）について、Ｓｐ，ｑがＳＰ信号に相当する場合は、
Ｈｐ，ｑ＝Ｓｐ，ｑ／Ｒｐ，ｑ
として、当該ＳＰ信号に関する伝達特性｛Ｈｐ，ｑ｝を求める。ここで、｛Ｒｐ，ｑ｝は、既知であるＳＰ信号の送出複素振幅値である。【０１２２】
一方、ＳＰ伝達特性算出回路２１ａは、ＳＰ信号以外のデータキャリア信号に対しては、
Ｈｐ，ｑ＝０
として、その伝達関数｛Ｈｐ，ｑ｝を定める。【０１２３】
これによってＳＰ伝達特性算出回路２１ａは、（ｐ，ｑ）空間上に点在するＳＰ信号に関し、その伝達特性｛Ｈｐ，ｑ：（ｐ，ｑ）∈Ｚ２Ｄ｝を求めることができる。【０１２４】
抽出回路２１ｂは、ＳＰ信号位置のＳＰ信号伝達特性｛Ｈｐ，ｑ｝のみを抽出し変換部２２ｘに供する。具体的には、抽出回路２１ｂは、図４３に示されるＳＰ信号位置のみのＳＰ信号伝達特性を抽出し、図４４に示されているようにキャリア方向に詰める形にして変換部２２ｘに供する。【０１２５】
このように、変換部２２ｘに供するＳＰ信号伝達特性をＳＰ信号位置のキャリアに限定することにより、変換部２２ｘの演算処理量をさらに削減することができる。【０１２６】
上述のように変換部２２ｘに供されるＳＰ信号伝達特性｛Ｈ”ｐ，ｑ｝は、図４２に示すようにＯＦＤＭ空間内に配置されている。本実施形態の変形例における２Ｄフーリエ変換領域の範囲Ｚ”２Ｄは、
−ｋＸ／２≦ｐ＜ｋＸ／２  ；  ｋ−ｎＹ＜ｑ≦ｋ
と定義される。また推定領域Ｚ”ＥＳＴは、
−ｕＸ／２≦ｐ＜ｕＸ／２  ；  ｋ−ｎＹ／２−ｗＹ／２＜ｑ≦ｋ−ｎＹ／２＋ｗＹ／２
と定義される。【０１２７】
変換部２２ｘは、ＳＰ伝達特性算出部２１から供された（ｐ，ｑ）空間上のＳＰ信号伝達特性｛Ｈ”ｐ，ｑ｝について、２次元フーリエ変換を施して、これを（ｍ，ｎ）空間上のＳＰ信号伝達特性｛ｈｍ，ｎ：（ｍ，ｎ）∈Ｚ’ＴＲＡ｝に変換する。変換部２２ｘはこれをフィルタ回路２３と決定回路２６に出力する。【０１２８】
つまり変換部２２ｘは、図４５に示される逆フーリエ変換回路２２ａ及び乗算回路２２ｂがキャリアインデックス方向に処理を施し、フーリエ変換回路２２ｃがシンボルインデックス方向に処理を施す。【０１２９】
即ち、変換部２２ｘに供されるＳＰ信号伝達特性は図４４に示されるようにキャリア方向に縮退され、本来図４３に示されるような（ｐ、ｑ）空間上の重畳位置とは異なり、シンボル毎にキャリア方向にＳＰ信号の重畳位置がずれていない。そこで、変換部２２ｘでは前述した周波数移動定理を用いて、シンボル毎にキャリア方向に逆フーリエ変換回路２２ａにて逆フーリエ変換処理を施した後に、乗算回路２２ｂにて所定の複素回転因子係数を乗算することで、逆フーリエ変換処理前の時間軸において所望の位置だけ相対的にずれた結果を算出する。【０１３０】
具体的に複素回転因子係数は、シンボル記憶部１２より供されるシンボル毎に付随したシンボルカウント値と伝送モードに基づいて決定される。よって、複素因子係数はシンボル毎に更新され、本実施形態の場合において、その周期は４シンボルとなる。【０１３１】
次に、フーリエ変換回路２２ｃにおいて、シンボル方向にフーリエ変換処理を施すことで、（ｍ，ｎ）空間上のＳＰ信号伝達特性｛ｈ’ｍ，ｎ｝を算出する。【０１３２】
変換部２２ｘで算出したＳＰ信号伝達特性｛ｈ’ｍ，ｎ｝のパワースペクトラム分布｛｜ｈ’ｍ，ｎ｜２｝は図４６に示されるように、ｍ軸方向については有効シンボル長Ｔｅの１／１２までの遅延時間となり、ｎ軸方向についてはシンボル送出周波数Ｆａ分の周波数となる。また、変換部２２ｘで算出されたＳＰ信号伝達特性｛ｈ’ｍ，ｎ｝は上述した性質Ａの説明で用いた図３９の領域Ｈの部分に相当する。上述した性質Ａを利用すれば、変換部２２ｘで算出したＳＰ信号伝達特性｛ｈ’ｍ，ｎ｝から本実施形態における変換部２２で算出したＳＰ信号伝達特性｛ｈｍ，ｎ｝に容易に変換が可能である。即ち、変換部２２ｘはＳＰ信号伝達特性｛ｈｍ，ｎ｝をフィルタ回路２３、決定回路２６に出力する。【０１３３】
よって、決定回路２６、フィルタ回路２３、逆変換部２４、出力回路２６については上記実施形態と同様の処理を行えばよい。これら決定回路２６、フィルタ回路２３、逆変換部２４、出力回路２５については、上記実施形態と同様であるので説明を省略する。【０１３４】
図４７は、２Ｄフーリエ変換処理の手順例を示すフローチャートである。この２Ｄフ−リエ変換処理は変換部２２ｘによって実施される処理を表している。２Ｄフ−リエ変換処理は、キャリア方向逆フーリエ変換処理（ステップＳ５００に相当）及びシンボル方向フーリエ変換処理（ステップＳ６００に相当）を有する。キャリア方向逆フーリエ変換処理は、図４８に示されるようにシンボル方向に沿って繰り返しフーリエ変換処理（ステップＳ５０１）が実施される（ステップＳ５０２，Ｓ５０３）。【０１３５】
図４９は、図４７に示されるキャリア方向逆フーリエ変換処理の手順例を示すフローチャートである。ステップＳ６０２では、伝送モードｍｏｄｅとシンボルカウント値ｓｙｍｃｏに基づいてシンボル毎のキャリア方向のずれ量ｓを算出する。伝送モードｍｏｄｅは、例えばモード１のときは０、モード２のときは１、モード３のときは２である変数である。シンボルカウント値ｓｙｍｃｏは、変換部２２ｘに供されるシンボル群の内、ｑ軸原点に配置、記憶されているシンボル、すなわち図４４におけるｑ＝ｋ−２５５シンボルに付随するシンボルカウント値である。ステップＳ６０３ではキャリア方向のフーリエ変換処理を施す。【０１３６】
ステップＳ６０５では、ステップＳ６０２で算出したずれ量ｓとキャリアインデックスｍに基づいて、回転因子係数の複素指数ｐｈを算出する。ステップＳ６０７ではフーリエ変換処理された｛Ｈ”ｚ，ｑ｝（Ｈ”（ｚ，ｑ）に相当）に回転因子係数ｅｘｐ（ｐｈ）を乗算する。上記処理をキャリア方向にｋＸ回繰り返し、シンボル方向にｎＹ回繰り返し施す。【０１３７】
このように、本実施形態の変形例によれば、算出部２１において変換部２２ｘに供するＳＰ信号伝達特性｛Ｈｐ，ｑ｝を限定し、変換部２２ｘにおいて演算を工夫することにより、本実施形態に比べ、推定伝達特性の精度を低下させることなく、さらに演算量を削減することができる。【０１３８】
また、以上既に述べた以外にも、上記実施形態や各変形例による手法を適宜組み合わせて利用しても良い。
【図面の簡単な説明】
【０１３９】
【図１】ＩＳＤＢ−Ｔ規格によるＯＦＤＭシンボルの構成を示す図である。
【図２】ＩＳＤＢ−Ｔ規格による伝送モード１による各変調パラメータの処置を示す図である。
【図３】本実施形態で用いられる各定数パラメータの処置を示す図である。
【図４】本実施形態による受信装置の構成例を示すブロック図である。
【図５】セグメントとキャリアインデックスとの関係を示す説明図である。
【図６】ＯＦＤＭシンボル空間の構成例を示す説明図である。
【図７】ＯＦＤＭシンボル空間に配置されたキャリアの属性を示す説明図である。
【図８】図１に示す伝達特性推定部の構成例を示すブロック図である。
【図９】図８に示す算出回路の構成例を示すブロック図である。
【図１０】図８に示す逆変換部の具体的な構成例を示すブロック図である。
【図１１】図８に示す窓位置検出回路の構成例を示すブロック図である。
【図１２】ＯＦＤＭシンボル空間の構成を示す説明図である。
【図１３】ＯＦＤＭシンボル空間に配置されたキャリアの属性を示す説明図である。
【図１４】第１受信環境における（ｍ，ｎ）空間上のパワースペクトラム分布を示す説明図である。
【図１５】２Ｄフーリエ変換部の出力であるＳＰ信号伝達特性のパワースペクトラム分布を示す図である。
【図１６】ある環境下でのエコープロファイルの一例を示す図である。
【図１７】畳み込み係数の一例を示す図である。
【図１８】畳み込み係数による畳み込み結果の一例を示す図である。
【図１９】ある環境下でのエコープロファイルの一例を示す図である。
【図２０】畳み込み係数の一例を示す図である。
【図２１】畳み込み係数による畳み込み結果の一例を示す図である。
【図２２】ある環境下でのエコープロファイルの一例を示す図である。
【図２３】畳み込み係数の一例を示す図である。
【図２４】畳み込み係数による畳み込み結果の一例を示す図である。
【図２５】ある環境下でのエコープロファイルの一例を示す図である。
【図２６】畳み込み係数の一例を示す図である。
【図２７】畳み込み係数による畳み込み結果の一例を示す図である。
【図２８】ある環境下でのエコープロファイルの一例を示す図である。
【図２９】畳み込み係数の一例を示す図である。
【図３０】畳み込み係数による畳み込み結果の一例を示す図である。
【図３１】ある環境下でのエコープロファイルの一例を示す図である。
【図３２】畳み込み係数の一例を示す図である。
【図３３】畳み込み係数による畳み込み結果の一例を示す図である。
【図３４】２Ｄ逆フーリエ変換処理の手順例を示すフローチャートである。
【図３５】図３４に示すシンボル方向逆フーリエ変換処理の手順例を示すフローチャートである。
【図３６】図３４に示すキャリア方向フーリエ変換処理の手順例を示すフローチャートである。
【図３７】図３６に示す回転因子乗算処理の具体的な手順例を示すフローチャートである。
【図３８】図３６に示す推定領域抽出処理の具体的な手順例を示すフローチャートである。
【図３９】変換部の出力であるＳＰ信号伝達特性のパワースペクトラム分布例である。
【図４０】本実施形態の変形例による受信装置の構成例を示すブロック図である。
【図４１】図４０に示される伝達特性推定部の構成例を示すブロック図である。
【図４２】ＯＦＤＭシンボル空間の構成を示す説明図である。
【図４３】ＯＦＤＭシンボル空間に配置されたキャリアの属性を示す説明図である。
【図４４】ＯＦＤＭシンボル空間に配置されたキャリアの属性を示す説明図である。
【図４５】２Ｄフーリエ変換部を示すブロック図である。
【図４６】本実施形態の変形例における変換部から出力されるＳＰ信号伝達特性のパワースペクトラム分布を示す図である。
【図４７】２Ｄフーリエ変換処理の手順例を示すフローチャートである。
【図４８】図４７に示されるシンボル方向フーリエ変換処理の手順例を示すフローチャートである。
【図４９】図４７に示されるキャリア方向逆フーリエ変換処理の手順例を示すフローチャートである。
【符号の説明】
【０１４０】
１                受信装置
１ａ              受信装置
１１              シンボル検波部（信号検波部）
１２              シンボル記憶部
２０              伝達特性推定部
２０ａ            伝達特性推定部
２１              ＳＰ伝達特性算出部（算出手段）
２１ａ            ＳＰ伝達特性算出回路（伝達特性算出手段）
２１ｂ            ＳＰ伝達特性抽出回路（伝達特性抽出手段）
２２ｘ            ２次元フーリエ変換回路（変換手段）
２３              ２次元フィルタ回路（フィルタ手段）
２４              ２次元逆フーリエ変換回路（生成手段）
２４ａ            逆フーリエ変換回路
２４ｂ            乗算回路
２４ｃ            フーリエ変換回路
２５              推定伝達特性出力回路
２６              フィルタ係数決定回路（供給手段）
２７              窓位置検出回路（窓位置検出手段）
２７ａ            エコープロファイル算出回路（総電力算出手段）
２７ｂ            畳み込み演算回路（窓位置算出手段）
２７ｃ            畳み込み係数生成回路（係数生成手段）
２７ｄ            ピーク検出回路（窓位置算出手段）
３０              データ復号部
【図１】
2009125499.tif 000005
【図２】
2009125499.tif 000006
【図３】
2009125499.tif 000007
【図４】
2009125499.tif 000008
【図５】
2009125499.tif 000009
【図６】
2009125499.tif 000010
【図７】
2009125499.tif 000011
【図８】
2009125499.tif 000012
【図９】
2009125499.tif 000013
【図１０】
2009125499.tif 000014
【図１１】
2009125499.tif 000015
【図１２】
2009125499.tif 000016
【図１３】
2009125499.tif 000017
【図１４】
2009125499.tif 000018
【図１５】
2009125499.tif 000019
【図１６】
2009125499.tif 000020
【図１７】
2009125499.tif 000021
【図１８】
2009125499.tif 000022
【図１９】
2009125499.tif 000023
【図２０】
2009125499.tif 000024
【図２１】
2009125499.tif 000025
【図２２】
2009125499.tif 000026
【図２３】
2009125499.tif 000027
【図２４】
2009125499.tif 000028
【図２５】
2009125499.tif 000029
【図２６】
2009125499.tif 000030
【図２７】
2009125499.tif 000031
【図２８】
2009125499.tif 000032
【図２９】
2009125499.tif 000033
【図３０】
2009125499.tif 000034
【図３１】
2009125499.tif 000035
【図３２】
2009125499.tif 000036
【図３３】
2009125499.tif 000037
【図３４】
2009125499.tif 000038
【図３５】
2009125499.tif 000039
【図３６】
2009125499.tif 000040
【図３７】
2009125499.tif 000041
【図３８】
2009125499.tif 000042
【図３９】
2009125499.tif 000043
【図４０】
2009125499.tif 000044
【図４１】
2009125499.tif 000045
【図４２】
2009125499.tif 000046
【図４３】
2009125499.tif 000047
【図４４】
2009125499.tif 000048
【図４５】
2009125499.tif 000049
【図４６】
2009125499.tif 000050
【図４７】
2009125499.tif 000051
【図４８】
2009125499.tif 000052
【図４９】
2009125499.tif 000053
【国際調査報告】
2009125499.tif 000054
2009125499.tif 000055
2009125499.tif 000056
2009125499.tif 000057